(57)【要約】  本明細書および図面は、ネットワークエレメント（例えばｅｖｏｌｖｅｄ−Ｎｏｄｅ  Ｂ、ｅＮＢ、または一般的にノードＢ、ゲートウエイまたは他のネットワークエレメント）により負荷測定量を決定し、通信ネットワーク（例えばワイヤレス通信システム）における情報トラフィックを最適化する新規の方法、システム、装置およびソフトウエア製品を提供する。この負荷測定量は、所定のネットワークエレメントが伝送することができる使用可能/過剰トラフィックの量を表すものであり、システムで使用可能な全リソース量（例えばシステムバンド幅に依存する）で考慮されるべき相対的測定量であり、かつ「重要な」または「必須の」トラフィックだけを伝送するために自由に使用できるリソース量である。このことは重み付け方法を使用して行われる。
2010526501.tif 000002
【特許請求の範囲】
【請求項１】
・ネットワークエレメント（１０）で使用可能な複数の物理的リソースブロックのすべてまたは選択されたブロックを使用して、前記ネットワークエレメント（１０）により情報トラフィックを提供し、そして
・前記情報トラフィックの負荷測定量を重み付け方法により、前記情報トラフィックに関与する前記すべてのブロックまたは選択されたブロックにより供給された前記情報トラフィックの予選択された情報を使用して決定する方法。
【請求項２】
請求項１記載の方法であって、前記重み付け方法は、
すべてのブロックの数または選択されたブロックの数を、情報トラフィックのうち予選択された情報に対してだけ使用されたデジタルビット数と、この情報トラフィックに関与するすべてのユーザエクイップメントに対しても使用された全デジタルビット数との相応の比により重み付けする方法。
【請求項３】
請求項１記載の方法であって、前記重み付け方法は、
情報トラフィックに関与するすべてのユーザエクイップメントの各ユーザエクイップメントにより使用されたすべてのブロックの数または選択されたブロックの数を加算し、予選択された情報に対してだけ使用されたデジタルビット数と、各ユーザエクイップメントに対しても使用された全デジタルビット数との相応の比により重み付けする方法。
【請求項４】
請求項１記載の方法であって、
前記負荷測定量は、所定の時間インターバルで決定される方法。
【請求項５】
請求項４記載の方法であって、
前記所定の時間インターバルは１ｍｓである方法。
【請求項６】
請求項１記載の方法であって、
前記ネットワークエレメント（１０）は、無線通信用に構成されたノードＢである方法。
【請求項７】
請求項１記載の方法であって、
前記情報トラフィックはダウンリンクの情報トラフィックである方法。
【請求項８】
請求項１記載の方法であって、
前記情報トラフィックはアップリンクの情報トラフィックである方法。
【請求項９】
請求項１記載の方法であって、さらに
前記負荷測定量を一つまたは複数の隣接のネットワークエレメントに提供する方法。
【請求項１０】
請求項１記載の方法であって、
前記予選択された情報は必須情報トラフィックに対するものであり、以下の少なくとも一つまたはすべてを有する、
・保証されたビットレートベアラ、
・無線リソースコントロールメッセージ、
・メディアアクセスコントロールＭＡＣ−ｃプロトコルデータユニット、
方法。
【請求項１１】
請求項１記載の方法であって、
前記物理的リソースブロックの各々は、直交周波数分割多重アクセスの１２の連続サブキャリアを有する方法。
【請求項１２】
請求項１記載の方法であって、
前記負荷測定量は、０から前記ネットワークエレメントで使用可能な前記複数の物理的リソースブロックまでの範囲である方法。
【請求項１３】
コンピュータプログラム製品であって、
コンピュータプログラムコードを具現するコンピュータ読み出し可能記憶構造を有し、これに基づいてコンピュータプロセッサによりコンピュータプログラムコードが実行され、
前記コンピュータプログラムコードは、請求項１の方法を実施するための命令を有するコンピュータプログラム製品。
【請求項１４】
ネットワークエレメント（１０）は、
・当該ネットワークエレメントで使用可能な複数の物理的リソースブロックのすべてまたは選択されたブロックを使用して、情報トラフィックを提供するように構成された送信器（１２）および受信器（１８）と、
・前記情報トラフィックの負荷測定量を所定の時間インターバルで重み付け方法により、前記情報トラフィックに関与する前記すべてのブロックまたは選択されたブロックにより供給された前記情報トラフィックの予選択された情報を使用して決定するように構成された負荷決定モジュール（１５）とを有するネットワークエレメント。
【請求項１５】
請求項１４記載のネットワークエレメントであって、前記重み付け方法は、
すべてのブロックの数または選択されたブロックの数を、情報トラフィックのうち予選択された情報に対してだけ使用されたデジタルビット数と、この情報トラフィックに関与するすべてのユーザエクイップメントに対しても使用された全デジタルビット数との相応の比により重み付けするネットワークエレメント。
【請求項１６】
請求項１４記載のネットワークエレメントであって、前記重み付け方法は、
情報トラフィックに関与するすべてのユーザエクイップメントの各ユーザエクイップメントにより使用されたすべてのブロックの数または選択されたブロックの数を加算し、予選択された情報に対してだけ使用されたデジタルビット数と、各ユーザエクイップメントに対しても使用された全デジタルビット数との相応の比により重み付けするネットワークエレメント。
【請求項１７】
請求項１４記載のネットワークエレメントであって、
前記負荷測定量は、所定の時間インターバルで決定されるネットワークエレメント。
【請求項１８】
請求項１７記載のネットワークエレメントであって、
前記所定の時間インターバルは１ｍｓであるネットワークエレメント。
【請求項１９】
請求項１４記載のネットワークエレメントであって、
前記情報トラフィックはダウンリンクの情報トラフィックであるネットワークエレメント。
【請求項２０】
請求項１４記載のネットワークエレメントであって、
前記ネットワークエレメントは、無線通信用に構成されたノードＢであるネットワークエレメント。
【請求項２１】
請求項１４記載のネットワークエレメントであって、
前記情報トラフィックはアップリンクの情報トラフィックであるネットワークエレメント。
【請求項２２】
請求項１４記載のネットワークエレメントであって、さらに
前記負荷測定量を一つまたは複数の隣接のネットワークエレメントに伝送するように構成された負荷伝送モジュールを有するネットワークエレメント。
【請求項２３】
請求項１４記載のネットワークエレメントであって、
前記予選択された情報は必須情報トラフィックに対するものであり、以下の少なくとも一つまたはすべてを有する、
・保証されたビットレートベアラ、
・無線リソースコントロールメッセージ、
・メディアアクセスコントロールＭＡＣ−ｃプロトコルデータユニット、
ネットワークエレメント。
【請求項２４】
請求項１４記載のネットワークエレメントであって、
前記物理的リソースブロックの各々は、直交周波数分割多重アクセスの１２の連続サブキャリアを有するネットワークエレメント。
【請求項２５】
請求項１４記載のネットワークエレメントであって、
前記負荷測定量は、０から前記ネットワークエレメントで使用可能な前記複数の物理的リソースブロックまでの範囲であるネットワークエレメント。
【請求項２６】
請求項１４記載のネットワークエレメントであって、
集積回路が、負荷決定モジュールと前記送信器および受信器を有するネットワークエレメント。
【発明の詳細な説明】
【技術分野】
【０００１】
優先権および関連出願へのクロスレファレンス
本出願は、米国特許出願番号６０／９２７，９６７号、２００７年５月７日出願からの優先権を主張する。
【０００２】
本発明は一般的に、ワイヤレス通信に関するものであり、より詳細には、(例えばダウンリンクまたはアップリンクでのノードＢに対する)ネットワークエレメントのための負荷量検出に関する。
【背景技術】
【０００３】
３ＧＰＰ（第３世代パートナーシッププロジェクト）のＬＴＥ（ｌｏｎｇ  ｔｅｒｍ  ｅｖｏｌｕｔｉｏｎ）に対する新たな概念では、広帯域周波数ドメイン・パケット・スケジューリング（ＦＤＰＳ）を、高いスペクトル効率を達成するために使用することが前提である。３ＧＰＰのＬＴＥは、種々の展開ノードＢｓ（ｅＮＢｓ）間でハンドオーバを提供する無線システムをターゲットにしているから、これら各ｅＮＢｓはネットワークの最適化のために隣接ｅＮＢｓにおけるトラフィック状況を知る必要がある。各ｅＮＢに対して付加状況をモニタする中央エンティティがネットワークには存在しないから、種々異なる隣接ｅＮＢｓ間で負荷情報を交換する必要がある。
【０００４】
所定のセルでの負荷測定に関連して、結果としてネットワークパフォーマンスのコントロールに役立つ情報を他のｅＮＢｓに提供する測定量が所望される。この形式の測定量を使用することのできる機能/エンティティは以下のものを含む（限定ではないが）。
・負荷ベースのハンドオーバ。これにより、高負荷されるセルがトラフィック/ＵＥを、さほど負荷されていない隣接ｅＮＢに潜在的にハンドオフすることができる；
・どのセル/キャリアにＵＥ（ユーザエクイップメント）を仮設すべきか決定するために；
・ネットワークパフォーマンスのモニタと最適化。
【０００５】
これらの測定量を効率的に利用するためには、セル負荷の目下の状態を知ることが有益である。この目下の状態は、使用できる/使用できない情報トラフィックの量を記述する。伝統的にこれら形式の負荷測定は、ネットワーク（例えばノードＢ）による全受信電力、または周波数分割多重化の場合にはチャネルに割当てられた占有周波数の数を使用して行われる。
【発明の概要】
【発明が解決しようとする課題】
【０００６】
本発明の課題は、ネットワークエレメント（例えばｅｖｏｌｖｅｄ−Ｎｏｄｅ  Ｂ、ｅＮＢ、または一般的にノードＢ、ゲートウエイまたは他のネットワークエレメント）により負荷測定量を決定し、通信ネットワーク（例えばワイヤレス通信システム）における情報トラフィックを最適化する新規の方法、システム、装置およびソフトウエア製品を提供することである。
【課題を解決するための手段】
【０００７】
本発明の第１の側面によれば、この方法は、・ネットワークエレメントで使用可能な複数の物理的リソースブロックのすべてまたは選択されたブロックを使用して、ネットワークエレメントにより情報トラフィックを提供し、そして
・情報トラフィックの負荷測定量を、所定の時間インターバルで所定のアルゴリズムを使用して決定する。これは、すべてのブロック数または選択されたブロックの数を、情報トラフィックのうち予選択された情報に対してだけ使用されたデジタルビット数と、この情報トラフィックに関与するすべてのユーザエクイップメントに対しても使用された全デジタルビット数との相応の比により重み付けすることにより、または情報トラフィックに関与するすべてのユーザエクイップメントの各ユーザエクイップメントにより使用されたすべてのブロックまたは選択されたブロックの数を加算し、予選択された情報に対してだけ使用されたデジタルビット数と、各ユーザエクイップメントに対しても使用された全デジタルビット数との相応の比により重み付けすることにより行われる。
【発明の効果】
【０００８】
本発明の第１の側面によればさらに、ネットワークエレメントはワイヤレス通信のために構成されたノードＢとすることができる。
【０００９】
さらに本発明の第１の側面によれば、所定の時間インターバルは１ｍｓとすることができる。
【００１０】
さらに本発明の第１の側面によれば、情報トラフィックはダウンリンクの情報トラフィックとすることができる。
【００１１】
さらに本発明の第１の側面によれば、情報トラフィックはアップリンクの情報トラフィックとすることができる。
【００１２】
さらに本発明の第１の側面によれば、この方法は、負荷測定量を隣接のネットワークエレメントに提供する。
【００１３】
さらに本発明の第１の側面によれば、実質的情報は以下の少なくとも一つまたはすべてを有する：保証されたビットレートベアラ、無線リソースコントロールメッセージ、および媒体アクセス制御（ＭＡＣ）プロトコルデータユニット。
【００１４】
さらに本発明の第１の側面によれば、各物理的リソースブロックは、直交周波数分割多重化の１２の連続するサブキャリアを有する。
【００１５】
さらに本発明の第１の側面によれば、負荷測定量は、ゼロとネットワークエレメントで使用可能な複数の物理的リソースブロックとの間の範囲である。
【００１６】
本発明の第２の側面によれば、コンピュータプログラム製品が、コンピュータプログラムコードを具現するコンピュータ読み出し可能記憶構造を有し、これに基づいてコンピュータプロセッサによりコンピュータプログラムコードが実行される。ここでコンピュータプログラムコードは、本発明の第１の側面を実行するための命令を有し、これは任意のコンピュータまたはネットワークエレメントのコンポーネントの組合せにより実行されたとして示される。
【００１７】
本発明の第３の側面によれば、ネットワークエレメントは、
・ネットワークエレメントで使用可能な複数の物理的リソースブロックのすべてまたは選択されたブロックを使用して、情報トラフィックを提供するように構成された送信器および受信器と、
・情報トラフィックの負荷測定量を、所定の時間インターバルで所定のアルゴリズムを使用して決定するように構成された負荷検出モジュールとを有し、これは、すべてのブロック数または選択されたブロックの数を、情報トラフィックのうち予選択された情報に対してだけ使用されたデジタルビット数と、この情報トラフィックに関与するすべてのユーザエクイップメントに対しても使用された全デジタルビット数との相応の比により重み付けすることにより、または情報トラフィックに関与するすべてのユーザエクイップメントの各ユーザエクイップメントにより使用されたすべてのブロックまたは選択されたブロックの数を加算し、予選択された情報に対してだけ使用されたデジタルビット数と、各ユーザエクイップメントに対しても使用された全デジタルビット数との相応の比により重み付けすることにより行われる。
【００１８】
本発明の第３の側面によればさらに、ネットワークエレメントはワイヤレス通信のために構成されたノードＢとすることができる。
【００１９】
さらに本発明の第３の側面によれば、所定の時間インターバルは１ｍｓとすることができる。
【００２０】
さらに本発明の第３の側面によれば、情報トラフィックはダウンリンクの情報トラフィックとすることができる。
【００２１】
さらに本発明の第３の側面によれば、情報トラフィックはアップリンクの情報トラフィックとすることができる。
【００２２】
さらに本発明の第３の側面によれば、ネットワークエレメントは、負荷測定量を隣接のネットワークエレメントに伝送するように構成された負荷伝送モジュールを有する。
【００２３】
さらに本発明の第３の側面によれば、実質的情報は以下の少なくとも一つまたはすべてを有する：保証されたビットレートベアラ、無線リソースコントロールメッセージ、および媒体アクセス制御（ＭＡＣ）プロトコルデータユニット。
【００２４】
さらに本発明の第３の側面によれば、各物理的リソースブロックは、直交周波数分割多重化の１２の連続するサブキャリアを有する。
【００２５】
さらに本発明の第３の側面によれば、負荷測定量は、ゼロとネットワークエレメントで使用可能な複数の物理的リソースブロックとの間の範囲である。
【００２６】
さらに本発明の第３の側面によれば、集積回路が負荷検出モジュールと、送信器および受信器を有する。
【００２７】
本発明の特質と対象をより良く理解するために、図面と関連して本発明を詳細に説明する。
【図面の簡単な説明】
【００２８】
【図１】本発明の実施例による負荷測定量決定（例えば計算）のためのネットワークエレメント（例えばノードＢ）のブロック回路図である。
【図２】本発明の実施例による、ネットワークエレメントに対する負荷測定量決定を示すフローチャートである。
【発明を実施するための形態】
【００２９】
ネットワークエレメント（例えばｅｖｏｌｖｅｄ−Ｎｏｄｅ  Ｂ、ｅＮＢ、または一般的にノードＢ、ゲートウエイまたは他のネットワークエレメント）により負荷測定量を決定し、通信ネットワーク（例えばワイヤレス通信システム）における情報トラフィックを最適化する新規の方法、システム、装置およびソフトウエア製品が提供される。本発明の実施例によれば、この負荷測定量は、所定のネットワークエレメントが伝送することができる使用可能/過剰トラフィックの量を表すものであり、システムで使用可能な全リソース量（例えばシステムバンド幅に依存する）で考慮されるべき相対的測定量であり、かつ「重要な」または「必須の」トラフィックだけを伝送するために自由に使用できるリソース量である。このことは以下に説明する重み付け方法を使用して行われる。
【００３０】
本発明の枠内で負荷測定量は、所定のシステムバンド幅内のセルに対して規定される。または、伝送（ダウンリンクまたはアップリンク）のために同時にサポートされる最大数の物理的リソースブロック（ＰＲＢ）にマッピングすることのできる情報容量に対して規定されるものである。その他の例として、ＰＲＢは１ｍｓの期間に対して、１２の連続するサブキャリア（直交周波数分割多重化、ＯＦＤＭＡを使用して）のセットとして定義することができる。したがってＰＲＢは、ＵＥ（ユーザエクイップメント）を割当てることのできる最小のアロケーション粒度と解釈することができる。さらに各セル内でトラフィックを、アップリンクまたはダウンリンクに関係なくスケジュールすることができる。したがって負荷測定量はアップリンクとダウンリンクに対して別個に計算することができる。例えばｅＮＢで計算される負荷測定量について、ダウンリンクに対しては送信器で計算し、アップリンクに対しては受信器で計算することができる。
【００３１】
明白で即時の負荷測定量は、所定の時間にわたって使用される、または使用されないＰＲＢの平均数を考慮する測定を定義すべきである。このことの欠点は、「重要」または「必須」の情報トラフィックを、リアルタイム（ＲＴ）トラフィックまたはノンリアルタイム（ＮＲＴ）トラフィックに等価の「ベストエフォート」または「必須でない」情報トラフィックから区別できないことである。ここでＲＴおよびＮＲＴの用語は伝統的に使用される（例えば３ＧＰＰ  ＴＳ  ２５．４２３参照）。ＱｏＳ（ｑｕａｌｉｔｙ  ｏｆ  ｓｅｒｖｉｃｅ）パラメータ：ＧＢＲ（ｇｕａｒａｎｔｅｅｄ  ｂｉｔ  ｒａｔｅ）ベアラ(例えば、３ＧＰＰ  ＴＳ  ２５．４０１  Ｖ８．１．０，  ｓｅｃｔｉｏｎ  ４．７で定義されている）はＲＴに対するものであり、ノンＧＢＲベアラ（例えば３ＧＰＰ  ＴＳ  ２５．４０１  Ｖ８．１．０，  ｓｅｃｔｉｏｎ  ４．７で定義されている）はＮＲＴに対するものである。
【００３２】
したがって本発明の実施例によれば、負荷測定量は、「ベストエフォート」(または「必須でない」)情報トラフィックが、トラフィックを要求するＵＥに対して何も保証されずにネットワークで伝送されるトラフィックであることを考慮することによって生成することができる。本発明に対しては、「重要な」または「必須の」トラフィックは、ＵＥに対して、または必要なネットワーク操作に対して保証されたトラフィックであると見なされる。この「必須の」情報トラフィックは、本発明の実施例による負荷測定量決定のために予選択することができる。例えばネットワークに必要なトラフィック(「必須の」トラフィック）は以下を含むことができる（限定ではないが）：ＳＡＥ（ｓｙｓｔｅｍ  ａｒｃｈｉｔｅｃｔｕｒａｌ  ｅｖｏｌｕｔｉｏｎ）ベアラ、ＧＢＲ（保証されたビットレート）、ＲＲＣ（無線リソースコントロール）メッセージ、および媒体アクセス制御（ＭＡＣ）プロトコルデータユニット（ＰＤＵ）。ＳＡＥベアラは、最近の３ＧＰＰドキュメント（例えば３ＧＰＰ  ＴＳ  ２５．４０１  Ｖ８．１．０，  ｓｅｃｔｉｏｎ  ４．７参照）ではＥＰＳ（ｅｖｏｌｖｅｄ  ｐａｃｋｅｔ  ｓｙｓｔｅｍ）ベアラと称される。後者の２つは、例えばＵＥにネットワークのコンフィギュレーションおよびアサインメントを通知するために必要なコントロールメッセージであり、ネットワーク操作に対して重要である。
【００３３】
したがって本発明の実施例によれば、「必須」情報（ＲＴに等価）トラフィックの負荷測定量を、（計算された）所定の時間間隔（例えば伝送タイミングインターバル、ＴＴＩごとに）で、スケジュールされたユーザに対して使用されたＰＲＢの重み付けされた合計として、トラフィックの予選択された必須情報を使用し以下のように決定することができる。
【数１】
2010526501.tif 000003
【００３４】
ここで指数ｎは、あらかじめ決定された時間インターバル（例えばＴＴＩ）で、ｎ番目にスケジュールされたユーザイクイップメント（またはユーザ）を表す。したがって一人のユーザで使用されるＰＲＢの数ＰＲＢused（ｎ）は、個別のユーザに対して使用されたＧＢＲベアラ＋ＲＲＣメッセージ＋ＭＡＣ  Ｃ−ＰＤＵｓ，（ＴＢＳSAE_GBR（ｎ）＋ＴＢＳRRC（ｎ）＋ＴＢＳMac-C（ｎ）のビット数(分子)と、相応する個別ユーザに対して伝送された総ビット数（ＴＢＳtotal（ｎ））（分母）の比である。伝送された全ペイロードを割り算することにより「必須」トラフィックに対して使用された有効ＰＲＢの測定量が得られる。したがってこの数を、典型的には一つのノードＢによりサポートされるセルで使用可能なＰＲＢの総数から減算することによって使用可能なトラフィックを計算することができる。式1は、ダウンリンクトラフィック、アップリンクトラフィック、またはダウンリンクトラフィックとダウンリンクトラフィックの組合せに適用することができる。
【００３５】
択一的に本発明の別の実施例によれば、式１はすべてのユーザに同時に、合計なしで適用するための次のように変形することができる。
【数２】
2010526501.tif 000004
【００３６】
式１と２で測定された負荷は、０からＮ（整数に丸められる）の範囲とすることができる。ここでＮは、（システムバンド幅に依存する）ＰＲＢの最大数である。したがってセルが、ＳＡＥ  ＧＢＲを備えるすべてのＰＲＢで伝送により完全に負荷されれば、負荷はＮに等しくなる。決定された負荷測定量は、１つまたは複数の隣接ネットワークエレメント（例えばノードＢ）に対して、ネットワークで情報トラフィックを効率的にコントロールするために報告することができる。式１と２での負荷測定量は、１つまたは複数の隣接ネットワークエレメント（セル）に報告する前に複数の時間インターバル（例えば複数のＴＴＩ）にわたって平均することができる。所定の時間インターバル（ＴＴＩ）は、例えば１ｍｓとすることができる。
【００３７】
実現の観点からは、（式１または２で決定された）セルにおいて使用された負荷を報告するか、または相補的に使用されない負荷、すなわちＮから式１または２で決定された使用負荷の平均を引いたものを報告するかは重要でない。
【００３８】
上記と同じアプローチであれば、「必須でない」（ＮＲＴに等価）トラフィックのＴＴＩ負荷測定ごとの等価式は次のようにそれぞれ（式１と２に類似して）表すことができる。
【数３】
2010526501.tif 000005
【００３９】
式１と３で使用される３つの項（式２と４で使用される３つの項に類似する）ＴＢＳSAE_GBR（ｎ）＋ＴＢＳRRC（ｎ）＋ＴＢＳMac-C（ｎ）の和によって表されるトラフィックの予選択された「必須」情報は単に一つの可能なシナリオを表すだけであり、予選択された「必須」情報を別のやり方で定義することもできる。
【００４０】
さらに本発明の実施例によれば、「必須」情報と「必須でない」情報の両方の負荷測定量を、例えばレイヤー２（ネットワークレイヤー）のノードＢで計算することができる。
【００４１】
図１は、本発明の実施例による、ネットワークエレメント１０に対して負荷測定量を決定する（例えば計算する）ための、ワイヤレスネットワーク１１におけるネットワークエレメント１０（例えばノードＢ、基地送信局ＢＴＳ等）のブロック回路図の例を示す。
【００４２】
図１の例で、ネットワークエレメント１０は送信器１２、受信器１８、アロケーションおよびスケジューリングモジュー１４、負荷決定モジュール１５および負荷伝送モジュール１７を有する。
【００４３】
負荷決定モジュール１５は、ここに説明する本発明の実施例により負荷測定量を決定（計算）するために使用される。この負荷測定量の決定は、ダウンリンク情報トラフィックに関するアロケーションおよびスケジューリングモジュール１４からの入力信号２０を使用して行われる（信号２０は信号２０ａとして相応のＵＥに伝送される）。信号２０はアップリンクトラフィックに関する情報も、モジュール１４がアップリンクトラフィックをスケジュールするために使用されるならば同様に有することができる。図１に示すようにモジュール１５にはまた、ＵＥから受信したアップリンク信号２２に関する入力信号２２ａを受信器１８から入力することができる。これは本発明の実施例により（式１〜４参照）、アップリンク負荷測定量を決定するためである。負荷測定量がモジュール１５により決定（計算）された後、この負荷測定量を負荷伝送モジュール１７を使用して隣接するエレメント（例えばノードＢ、および他のネットワークのエレメント、ゲートウエイ等）に伝送することができる。これはネットワークパフォーマンスを最適化するためである。
【００４４】
本発明の実施例によれば、モジュール１５、１７または１４はソフトウエアとして、またはハードウエアモジュールとして、またはそれらの組合せとして実現することができる。さらにモジュール１５、１７または１４は別個のブロックとして、または他の標準ブロックと組み合わせて、またはそれらの機能に応じて複数のブロックに分割して実現することができる。送信器１２と受信器１８は、公知のトランシーバーとして実現することができる。ネットワークエレメント１０のすべてのモジュールまたは選択されたモジュールは、集積回路を使用して実現することができる。
【００４５】
図２は、本発明の実施例による、ネットワークエレメント（例えばノードＢ）に対する負荷測定量決定を示すフローチャートの例である。
【００４６】
図２のフローチャートは、可能なシナリオの一つを示すだけである。図２に示したステップの順番は絶対的に必要なものではなく、一般的に種々のステップを別の順番で実行することができる。本発明の方法の実施例では、第１のステップ３２でネットワークエレメント、例えばノードＢが、情報トラフィック（ダウンリンクおよび/またはアップリンク）を、ネットワークエレメントで使用可能な複数の物理的リソースブロック（ＰＳＢ）のすべてまたは選択されたブロック（例えばＰＳＢは１２のサブキャリアを有することができる。または１８０ｋＨｚの周波数チャンクと等価であり、アップリンクとダウンリンクに対して同じである）を使用して供給する。次のステップ３４で、ネットワークエレメントは情報トラフィックの負荷測定量を所定の時間インターバル（例えばＴＴＩ）で、本発明の実施例による重み付け方法を使用して決定する。次のステップ３６で、ネットワークエレメントは負荷測定量を一つまたは複数の隣接ネットワークエレメントに、ネットワークで情報トラフィックを効率的にコントロールするために伝送する。
【００４７】
上に述べたように、本発明は方法と、この方法のステップを実施するための機能を提供する種々のモジュールからなる相応の装置を提供するものである。モジュールはハードウエアとして実現することができる。またはコンピュータプロセッサにより実行されるソフトウエアまたはファームウエアとして実現することができる。とりわけファームウエアまたはソフトウエアの場合、本発明は、コンピュータプロセッサにより実行されるためのコンピュータプログラムコード（すなわちソフトウエアまたはファームウエア）を実現するコンピュータ読み出し可能記憶構造を含むコンピュータプログラム製品として提供される。
【００４８】
上記の論点は、本発明の技術思想適用の単なる例である。種々の変形および択一的構成が、本発明の技術思想を逸脱することなく当業者により想到でき、従属請求項はこのような変形および構成を網羅することを意図するものである。
【図１】
2010526501.tif 000006
【図２】
2010526501.tif 000007
【国際調査報告】
2010526501.tif 000008
2010526501.tif 000009